(57)【要約】 【課題】  面防具に何ら細工を施さなくても簡単に適用でき、しかも、面布団や内輪に汗が移行しにくい防具用吸汗シート１０を提供する。【解決手段】  防具用吸汗シート１０は、肌側から、ポリエステル繊維で構成されてなる黒色の平織物１、点状形態で付与されてなる感熱接着剤２、抗菌加工が施されてなるレーヨン繊維を主体としてなる不織布３、格子状に付与されてなる感熱接着剤４、無孔のポリエチレンフィルム５、スパンボンド不織布６及び両面粘着シート７の順に積層一体化されてなる。両面粘着シート７の他面には剥離紙が積層されている。防具用吸汗シート１０は、適宜の形状に裁断され、面防具の内面に両面粘着シート７によって貼着される。防具用吸汗シート１０は適宜の形状をした、頭頂部片、一対の耳部片、額上部片、顔下部片、額下部片及び顎部片のキットとして販売する。【選択図】  図１
0003194069.tif 000002
【実用新案登録請求の範囲】
【請求項１】
肌側から、疎水性繊維で構成されてなる織物、点状又は線状形態で付与されてなる感熱接着剤、抗菌加工が施されてなる親水性繊維を主体としてなる不織布、全面又は部分的に付与されてなる感熱接着剤、無孔の合成樹脂製フィルム及び両面粘着シートの順に積層一体化されてなることを特徴とする防具用吸汗シート。
【請求項２】
無孔の合成樹脂製フィルムと両面粘着シートの間に、スパンボンド不織布が挿入されている請求項１記載の防具用吸汗シート。
【請求項３】
抗菌加工が施されてなる親水性繊維を主体としてなる不織布は、親水性繊維を主体とすると共に、熱接着性複合繊維が混合されており、該熱接着性複合繊維の溶融固化によって、該親水性繊維相互間が結合されてなるものである請求項１記載の防具用吸汗シート。
【請求項４】
熱接着性複合繊維は、鞘成分が低融点高分子であり、芯成分が高融点高分子よりなる芯鞘型複合繊維であって、該鞘成分のみが溶融固化して、親水性繊維相互間を結合している請求項３記載の防具用吸汗シート。
【請求項５】
両面粘着シートの他面には剥離紙が積層されている請求項１記載の防具用吸汗シート。  
【請求項６】
防具が剣道用面防具であって、請求項１記載の防具用吸汗シートが以下の各片からなるものの組み合わせであることを特徴とする防具用吸汗シートのキット。
（１）頭頂に対応する面布団の部位に貼着する頭頂部片。
（２）両耳に対応する面布団の部位に貼着する一対の耳部片。
（３）額上部に対応する内輪の部位に貼着する額上部片。
（４）顔下に対応する内輪の部位に貼着する顔下部片。
（５）額下部に対応する面金の部位に貼着する額下部片。
（６）顎に対応する面金の部位に貼着する顎部片。
【請求項７】
耳部片には多数の孔が設けられている請求項６記載の防具用吸汗シートのキット。
【考案の詳細な説明】
【技術分野】
【０００１】
本考案は、主として剣道で使用する防具に適用する吸汗シートに関し、特に防具に貼り替え可能に適用しうる吸汗シートに関するものである。
【背景技術】
【０００２】
剣道で頭部に被る防具（以下、「面防具」という。）は、基本的に、頭部正面を保護する面金と、頭部側面を保護する面布団と、喉を保護する突き当てと、顔面周縁に当接して顔面と面金及び面布団を固定する内輪とで構成されてなるものである。面布団は、フェルトの如き繊維集合体を綿布で包んで縫製した、分厚い繊維製品である。剣道の競技者は、かかる面防具を頭部に被って体育館等の屋内で激しく動き回るため、大量に発汗する。そして、この汗は、主として面布団や内輪に吸収され、その結果、面防具が臭くなるということがあった。学校や道場等では、面防具を共用することも多く、この臭いを生徒等の練習者が嫌がり、剣道の発展を阻害している要因の一つと言われている。
【０００３】
このため、面布団や内輪に吸汗シートを取り付けることが提案されている（特許文献１）。具体的には、面布団や内輪に面ファスナーの雄材又は雌材を縫着し、吸汗シートに面ファスナーの雌材又は雄材を縫着して、取り付けることが提案されている。しかしながら、かかる手段は、面布団や内輪に面ファスナーを縫着しなければならず、煩わしいという問題があった。また、特許文献１で用いている吸汗シートは、従来より一般に使用されているガーゼや不織布であって、大量の発汗によって面布団や内輪にも汗が移行吸収することを防止できず、上記した臭いの問題を解決しうるものではなかった。
【０００４】
【特許文献１】特開２００６−１８０８９８号公報（特許請求の範囲及び段落００１７）
【考案の概要】
【考案が解決しようとする課題】
【０００５】
本考案の課題は、面防具に何ら細工を施さなくても簡単に適用でき、しかも、面布団や内輪に汗が移行しにくいようにした防具用吸汗シートを提供するものである。
【課題を解決するための手段】
【０００６】
すなわち、本考案は、肌側から、疎水性繊維で構成されてなる織物１、点状又は線状形態で付与されてなる感熱接着剤２、抗菌加工が施されてなる親水性繊維を主体としてなる不織布３、全面又は部分的に付与されてなる感熱接着剤４、無孔の合成樹脂製フィルム５及び両面粘着シート７の順に積層一体化されてなることを特徴とする防具用吸汗シートに関するものである。また、無孔の合成樹脂製フィルム５と両面粘着シート７の間には、スパンボンド不織布６が挿入一体化されていてもよい。
【０００７】
織物１は、疎水性繊維で構成されてなるものである。疎水性繊維としては、ポリエステル繊維やポリオレフィン繊維等を採用しうる。そして、疎水性繊維糸を適宜の織組織で製織して織物１とする。織組織は最も単純な平織組織であるのが好ましい。疎水性繊維は黒色に染色されているのが好ましい。これは、面布団が黒色だからであり、面布団と同調させて違和感を少なくするためである。また、疎水性繊維が用いられる理由は、織物１は顔面の肌に当接するものであり、肌からの発汗を疎水性繊維の内側に存在する不織布３の親水性繊維に良好に移行吸収させるためである。
【０００８】
感熱接着剤２は、点状又は線状形態で付与されてなり、織物１と不織布３とを強固に接着させるためのものである。点状又は線状形態で空隙を設けているのは、肌からの汗を良好に不織布３中の親水性繊維に移行吸収させるためである。なお、線状形態というのは、格子状形態をも含むものである。全面に感熱接着剤２を設けると、汗が不織布３に移行吸収しにくくなり、汗が顔面に滞留して競技しにくくなるからである。感熱接着剤２としては、従来公知のものが用いられが、特に汗を吸収しにくいアクリル系やポリアミド系のものが用いられる。
【０００９】
不織布３は、親水性繊維を主体とするものである。親水性繊維が用いられる理由は、汗を吸収しやすいからである。親水性繊維としては、レーヨン繊維やコットン繊維が用いられる。親水性繊維を用いて不織布３を得る方法は従来公知の任意の方法を採用しうる。たとえば、親水性繊維を主体とする繊維を開繊集積して、水流絡合法（いわゆるスパンレース法）で繊維相互間を交絡させることにより、不織布３とする。また、親水性繊維の他に、熱接着性複合繊維を混合しておくことが好ましい。水流交絡させた後、熱接着性複合繊維を溶融固化させて、繊維相互間を結合することにより、繊維相互間が交絡と結合の両者の作用によって、不織布３の形態安定性が向上するからである。さらに、熱接着性複合繊維として、鞘成分が低融点高分子であり、芯成分が高融点高分子よりなる芯鞘型複合繊維を用い、鞘成分のみを溶融固化して繊維相互間を結合することも好ましいことである。低融点高分子と高融点高分子の組み合わせとしては、ポリエチレンとポリエステルの組み合わせが最も好ましい。その他にも、ポリエチレンとポリプロピレン又は低融点共重合ポリエステルと高融点ポリエステルの組み合わせであってもよい。かかる熱接着性複合繊維を用いると、溶融固化した後も高融点高分子よりなる芯成分が繊維形態を保持しており、不織布３の強度低下を防止しうるからである。さらに、不織布３中には、親水性繊維及び熱接着性繊維の他に、従来公知の他の繊維が混合されていてもよい。
【００１０】
不織布３には、抗菌加工が施されている。抗菌加工は、無機系抗菌剤や有機系抗菌剤を不織布に付与することによりなされる。具体的には、不織布を無機系抗菌剤や有機系抗菌剤を含む溶液に浸漬することにより、付与される。もちろん、無機系抗菌剤や有機系抗菌剤を繊維自体に練り込んだり又は付着させたものを用いて、不織布を作成し、抗菌加工が施されてなる不織布３としてもよい。抗菌加工が施されていることによって、防具用吸汗シートを貼着した状態で、長時間（たとえば、数日）使用しても、防具用吸汗シートに吸収された汗からの臭いが発生しにくくなる。
【００１１】
感熱接着剤４は、全面又は部分的に付与されてなり、不織布３と無孔の合成樹脂製フィルム５とを強固に接着させるためのものである。感熱接着剤４は、感熱接着剤２と異なり、全面に付与されていてもよい。汗の移行吸収は不織布３で止まり、汗を感熱接着剤４中を通過させる必要がないからである。もちろん、汗が感熱接着剤４中を通過しても、最終的には無孔の合成樹脂製フィルム５で汗の移行は止まるため、部分的に点状又は線状（格子状を含む。）の形態で感熱接着剤４を付与してもよい。感熱接着剤４としては、従来公知のものが用いられが、汗を吸収しても構わないので、感熱接着剤として一般的なエチレン−酢酸ビニル系のものが用いられる。
【００１２】
合成樹脂製フィルム５は無孔である。有孔であると、その孔を通過して汗が防具に移行する恐れがある。合成樹脂製フィルム４としては、ポリエチレンフィルムやポリプロピレンフィルム等の従来公知のものが用いられる。この合成樹脂製フィルム４によって、汗が防具に移行吸収されず、防具から発生する臭いの原因を除去しうるのである。合成樹脂製フィルム５には、両面粘着シート７が貼着されている。合成樹脂製フィルム５に直接両面粘着シート７を貼着せずに、合成樹脂製フィルム５と両面粘着シート７間にスパンボンド不織布６を介在させるのが好ましい。スパンボンド不織布６が介在している方が、スパンボンド不織布６の構成繊維相互間に粘着剤が浸透しやすく、両面粘着シート７が接着しやすくなるからである。スパンボンド不織布としては、従来公知のものが用いられ、特にポリエステルスパンボンド不織布を採用するのが好ましい。
【００１３】
両面粘着シート７は、従来公知のものが採用され、特に薄手の不織布を基材とし、その両面に粘着剤が塗布されているものが好ましい。薄手の不織布を基材としているものは、透明性に優れると共に柔軟性にも優れており、折り曲げやすいからである。粘着剤としても、従来公知のものが採用され、一般的にアクリル酸エステル系のものが用いられる。両面粘着シート７の他面には剥離紙が積層されて販売される。剥離紙がないと、防具に貼着する前の取り扱いが困難だからである。なお、剥離紙としては、紙の表面にシリコーン系樹脂が塗布されている従来公知のものが用いられる。
【００１４】
本考案に係る防具用吸汗シート１０は、種々の形状に裁断されて、防具の各部位に貼着される。面防具の場合には、以下のとおりである。面防具は、前記したように、基本的に、面布団１１、内輪１２、面金１３及び突き当て１４とで構成されている。この面防具の各部位に防具用吸汗シート１０を貼着するのである。
【００１５】
図３は、頭頂に対応する面布団１１の部位に貼着する例を示したものである。この防具用吸汗シート１０は、略長方形に裁断されたものであり、頭頂部片となるものである。この頭頂部片は、剥離紙を剥離する前に、その縦中央部を内側に折り、剥離紙を剥離して両面粘着シート７の他面が面布団１１の図示した部位に沿うようにして貼着するのである。また、図４は、両耳に対応する面布団１１の部位に貼着する例を示したものである。この防具用吸汗シート１０は、下部が若干膨出し変形した長方形状のもの一対からなり、両耳片となるものである。両耳片には、図示したように、多数の孔が設けられているのが好ましい。競技中に審判等が発する声を聞き取りやすくするためである。両耳片は、そのまま、膨出した箇所を下部として、図示した部位に沿うようにして貼着する。
【００１６】
図５は、額上部に対応する内輪１２の部位に貼着する例を示したものである。この防具用吸汗シート１０は、弓状に曲がった長辺形状のものであり、内側に複数本のスリットが設けられてなるものであり、額上部片となるものである。額上部片に設けられているスリットは、額上部片の曲がりを大きくしたり小さくしたりすることができるようにし、種々の大きさの面防具に対応しうるようにしてある。額上部片は、弓状の曲がりを調節しながら、図示した内輪１２の部位に沿って貼着する。図６は、顔下に対応する内輪１２の部位に貼着する例を示したものである。この防具用吸汗シート１０は、略長方形状のもので、内側に複数本のスリットが設けられてなり、顔下部片となるものである。このスリットも、額上部片の場合と同様に曲がりを調節しうるように設けられている。顔下部片は、その曲がりを調節しながら、図示した内輪１２の部位に沿って貼着する。額上部片と顔下部片を貼着することにより、内輪１２の内側は略全面が防具用吸汗シート１０で貼着されることになる。
【００１７】
図７は、額下部に対応する面金１３の部位に貼着する例を示したものである。この防具用吸汗シート１０は、半円上部形のもので円弧に複数本のスリットが設けられてなり、額下部片となるものである。このスリットも、前述の場合と同様に曲がりを調節しうるためものである。額下部片も、その曲がりを調節しながら、図示した面金１３の内面部位に沿って貼着する。図８は、顎に対応する面金１３の部位に貼着する例を示したものである。この防具用吸汗シート１０は、半円下部形のもので円弧に複数本のスリットが設けられてなり、顎部片となるものである。このスリットも、前述の場合と同様に曲がりを調節しうるためものである。顎部片も、その曲がりを調節しながら、図示した面金１３の内面部位に沿って貼着する。
【００１８】
以上によって、面防具の内面であって顔に当接する箇所は、ほぼ完全に防具用吸汗シート１０が貼着されていることになる。したがって、顔から発汗する汗は、防具用吸汗シート１０に吸収され、防具の面布団１１等には殆ど吸収されないことになる。よって、本考案に係る防具用吸汗シートは、上述した頭頂部片、一対の耳部片、額上部片、顔下部片、額下部片及び顎部片をキットとして販売するのが好ましい。
【考案の効果】
【００１９】
本考案に係る防具用吸汗シートは、以下のような効果を奏する。
（１）両面粘着シートを具えているので、簡単に防具に貼着でき、また剥離も簡単にできる。したがって、貼り直しや貼り替えが容易にできるという効果を奏する。
（２）肌側に疎水性繊維で構成された織物が配置され、次いで、肌からの汗を良好に通過しうる点状又は線状形態で付与されてなる感熱接着剤によって、親水性繊維を主体とする不織布が配置され積層一体化されているので、肌に汗が滞留しにくく、汗を不織布に速やかに移行吸収しうるという効果を奏する。
（３）不織布に次いで、無孔の合成樹脂製フィルムが積層一体化されているので、汗は合成樹脂製フィルムよりも防具側に移行吸収されにくい。したがって、防具（特に面布団）が汗を吸収して、臭くなるのを防止しうるという効果を奏する。
（４）汗を吸収保持する不織布には、抗菌加工が施されているので、汗からの臭いを長期に亙って防止しうるという効果を奏する。
【図面の簡単な説明】
【００２０】
【図１】本考案の一例に係る防具用吸汗シートの模式的断面図である。
【図２】面防具の一例を示した正面図である。
【図３】面防具に本考案の一例に係る防具用吸汗シートからなる頭頂部片の適用例を示した図である。
【図４】面防具に本考案の一例に係る防具用吸汗シートからなる両耳片の適用例を示した図である。
【図５】面防具に本考案の一例に係る防具用吸汗シートからなる額上部片の適用例を示した図である。
【図６】面防具に本考案の一例に係る防具用吸汗シートからなる顔下部片の適用例を示した図である。
【図７】面防具に本考案の一例に係る防具用吸汗シートからなる額下部片の適用例を示した図である。
【図８】面防具に本考案の一例に係る防具用吸汗シートからなる顎部片の適用例を示した図である。
【符号の説明】
【００２１】
１    織物
２    感熱接着剤
３    不織布
４    感熱接着剤
５    合成樹脂製フィルム
６    スパンボンド不織布
７    両面粘着シート
１０  防具用吸汗シート
１１  面布団
１２  内輪
１３  面金
１４  突き当て
【図１】
0003194069.tif 000003
【図２】
0003194069.tif 000004
【図３】
0003194069.tif 000005
【図４】
0003194069.tif 000006
【図５】
0003194069.tif 000007
【図６】
0003194069.tif 000008
【図７】
0003194069.tif 000009
【図８】
0003194069.tif 000010